(57)【要約】本発明は通常洗濯と集中洗濯が可能な洗濯装置に関する。洗濯物を移送して洗濯水を噴射して洗濯を遂行するように構成された洗濯装置であって、洗濯物の全体面積に対して一定面積で区画された複数の全体洗濯分割領域が記憶されており、全体洗濯分割領域において集中洗濯が必要な洗濯物の汚染された一部位に対応する一部汚染洗濯分割領域が入力される制御器と、全体洗濯分割領域において各洗濯分割領域を担当して洗濯水を噴射するように装着された少なくとも１つの洗濯ノズルを具備する洗濯部を含んで構成されている。【選択図】図１
2020520763.tif 000002
【特許請求の範囲】
【請求項１】
洗濯物（Ｌ）を移送して洗濯水を噴射して洗濯を遂行するように構成された洗濯装置であって、
前記洗濯物（Ｌ）の全体面積に対して一定面積で区画された複数の全体洗濯分割領域（Ｔ）が記憶されるものであって、複数の全体洗濯分割領域（Ｔ）中で集中洗濯が必要な洗濯物（Ｌ）の汚染された一部位に対応する一部汚染洗濯分割領域（Ｔ）が入力される制御器と、前記複数の全体洗濯分割領域（Ｔ）の中で各洗濯分割領域を担当して洗濯水を噴射するように装着された少なくとも１つの洗濯ノズルを具備する洗濯部とを含んでおり、
前記制御器の信号により、一般洗剤が供給された洗濯水が洗濯ノズルを通して洗濯物（Ｌ）に噴射される通常洗濯が実行されて、この通常洗濯が実行される途中に、入力された洗濯物（Ｌ）の汚染洗濯分割領域（Ｔ）が通過中にだけ一般洗剤の供給が中断されて特殊洗剤が供給された洗濯水が汚染洗濯分割領域（Ｔ）を担当する洗濯ノズルを通して洗濯物（Ｌ）の汚染部位に噴射される集中洗濯が実行されることを特徴とする通常洗濯と集中洗濯が可能な洗濯装置。
【請求項２】
前記洗濯ノズルに一般洗剤を供給するように設置された一般洗剤タンク（８００）と、前記洗濯ノズルに特殊洗剤を供給するように設置された少なくとも一つの特殊洗剤タンク（８１０）とをさらに含んで、前記洗濯ノズルに一般洗剤が供給される間、汚染部位が通過中の一定時間の間にだけ特殊洗剤が供給されるように設置されて、前記制御器の信号により汚染種類によって分類された少なくとも一つの特殊洗剤が供給されるように設置されたことを特徴とする請求項１に記載の通常洗濯と集中洗濯が可能な洗濯装置。
【請求項３】
前記洗濯部に進入する洗濯物（Ｌ）の大きさを測定するセンサーまたは、ローラをさらに含んでおり、前記制御器は洗濯物（Ｌ）の大きさにより固定された個数の全体洗濯分割領域（Ｔ）と汚染洗濯分割領域（Ｔ）の大きさを設定して、移動する汚染洗濯分割領域（Ｔ）の位置を勘案して特殊洗剤の供給および中断時点を算出するように構成されたことを特徴とする請求項２に記載の通常洗濯と集中洗濯が可能な洗濯装置。
【請求項４】
前記洗濯部は、洗濯ノズルが装着され、洗濯物（Ｌ）の進行方向に一定間隔で配置されて洗濯物（Ｌ）の進行方向と交差するように設置された少なくとも一つの設置バー（２２０）をさらに含んでおり、少なくとも一つの設置バー（２２０）に設置された洗濯ノズルに特殊洗剤が供給されるように設置されたことを特徴とする請求項１〜３のいずれか１項に記載の通常洗濯と集中洗濯が可能な洗濯装置。
【請求項５】
前記洗濯部は、前記供給部（１００）から移送された洗濯物（Ｌ）に洗濯水を噴射する第１洗濯ノズル（Ａ−１）、第１洗濯ノズル（Ａ−１）を通過した洗濯物（Ｌ）が含浸されるすすぎ水槽（２１０）、第１洗濯ノズル（Ａ−１）またはすすぎ水槽（２１０）を過ぎて移送される洗濯物（Ｌ）を感知するように設置された感知センサー、及び、感知された洗濯物（Ｌ）に洗濯水を噴射するように設置された第２洗濯ノズル（３２０）のうち少なくとも一つを具備する第１洗濯部（２００）と、前記第１洗濯部（２００）を過ぎて移送される洗濯物に洗濯水を噴射するように設置された第３洗濯ノズル（４１０）を具備する第２洗濯部（３００）とを含むことを特徴とする請求項４に記載の通常洗濯と集中洗濯が可能な洗濯装置。
【請求項６】
前記洗濯物が広げられて載せられれば洗濯部へ移送するように設置された供給コンベヤーを具備する供給部（１００）と、前記洗濯部を通過した洗濯物をすすぐためにすすぎ水を噴射するように設置された少なくとも一つのすすぎノズルを具備したすすぎ部（４００）と、前記洗濯部またはすすぎ部（４００）を通過した洗濯物の水を絞るために洗濯物が通過するように上下に設置されたローラを具備した脱水部（５００）と、前記洗濯部またはすすぎ部（４００）または、脱水部（５００）を通過した洗濯物を排出するように設置された排出部（６００）と、前記洗濯部、すすぎ部（４００）、脱水部（５００）または排出部（６００）に洗濯物（Ｌ）を運ぶように設置された移送コンベヤーとのうち少なくとも一つをさらに含んでおり、
前記移送コンベヤーは、第１洗濯部（２００）と第２洗濯部（３００）は供給部（１００）から第２洗濯部（３００）まで洗濯物（Ｌ）を移送するように設置された第１移送コンベヤー、第１洗濯部（２００）からすすぎ部（４００）まで洗濯物（Ｌ）を移送するように設置された第２移送コンベヤーと、第２洗濯部（３００）から脱水部（５００）を過ぎて排出部（６００）まで移送するように設置された第３移送コンベヤーとのうち少なくとも一つを含んでおり、
前記移送コンベヤーは第１移送コンベヤーと第２移送コンベヤーに備わっており、洗濯物をひっくり返して移すように相互近接設置された第２ローラ（Ｒ２）および第１ローラ（Ｒ１）と、第２移送コンベヤーと第３移送コンベヤーに備わっており、洗濯物をひっくり返して移すように相互近接設置された第４ローラ（Ｒ４）と第３ローラ（Ｒ３）とのうち少なくとも１組をさらに具備することを特徴とする請求項５に記載の通常洗濯と集中洗濯が可能な洗濯装置。
【発明の詳細な説明】
【技術分野】
【０００１】
本発明は洗濯装置に関し、より詳しくは洗濯をする途中洗濯物の汚染された一部位を集中洗濯できるようにした通常洗濯と集中洗濯が可能な洗濯装置に関する。
【背景技術】
【０００２】
一般的に日常生活では多様な洗濯物が発生して、これら洗濯物は清潔で衛生的な生活のために周期的に洗濯することになる。ここで、洗濯物には家庭やホテル、工場、寮、修練院および病院などの多重利用施設で発生する小型および大型洗濯物がある。このような洗濯物は長く使って洗濯をする場合もあるが一部位だけ汚染されて洗濯する場合もある。
【０００３】
この時、一部位が汚染された場合、当該洗濯物は汚染された一部位に対してだけ別に特殊洗剤を利用して１次洗濯して汚染を除去した後、他の洗濯物と共に一般洗剤を利用して通常の２次洗濯をする場合が一般的である。従って、１次および２次洗濯をする場合、洗濯時間が長くなるだけでなく、多い量の洗濯水が追加で必要とされるなどの問題点がある。
【先行技術文献】
【特許文献】
【０００４】
【特許文献１】大韓民国登録特許第１０−１３８３０８３号（２０１４．０４．０９．公告）
【特許文献２】大韓民国公開特許第１０−２０１６−００４９４０３号（２０１６．０５．０９．公開）
【発明の概要】
【発明が解決しようとする課題】
【０００５】
前記のような問題点を解決するために案出された本発明の目的は、洗濯物を開いて移送して、ノズルを通して洗濯水を噴射して洗浄する間特定汚染部位に対して集中的に特殊洗剤を噴射して集中洗浄を行うことによって、通常洗濯工程と一緒に特殊洗濯工程が実行されて、洗濯時間はもちろん洗濯水が節約されるようにした通常洗濯と集中洗濯が可能な洗濯装置を提供することにある。
【課題を解決するための手段】
【０００６】
前記目的を達成するために本発明にともなう通常洗濯と集中洗濯が可能な洗濯装置は、洗濯物を移送して洗濯水を噴射して洗濯を遂行するように構成された洗濯装置であって、洗濯物の全体面積に対して一定面積で区画された複数の全体洗濯分割領域が記憶又は保存されるものであって、複数の全体洗濯分割領域の中で集中洗濯が必要な洗濯物の汚染された一部位に対応する一部汚染洗濯分割領域が入力される制御器と、複数の全体洗濯分割領域の中で各洗濯分割領域を担当して洗濯水を噴射するように装着された少なくとも１つの洗濯ノズルを具備する洗濯部とを含んで、前記制御器の信号により、一般洗剤が供給された洗濯水が洗濯ノズルを通して洗濯物に噴射される通常洗濯が実行されて、この通常洗濯が実行される途中に、入力された洗濯物の汚染洗濯分割領域が通過中にだけ一般洗剤の供給が中断されて特殊洗剤が供給された洗濯水が汚染洗濯分割領域を担当する洗濯ノズルを通して洗濯物の汚染部位に噴射される集中洗濯が実行されるように構成されている。
【０００７】
一方、本発明にともなう洗濯装置は、洗濯ノズルに一般洗剤を供給するように設置された一般洗剤タンクと洗濯ノズルに特殊洗剤を供給するように設置された少なくとも一つの特殊洗剤タンクをさらに含んで構成されている。
【０００８】
ここで、洗濯ノズルに一般洗剤が供給される間、汚染部位が通過中の一定時間の間にだけ特殊洗剤が供給されるように設置される。また、制御器の信号により汚染種類によって分類された少なくとも一つの特殊洗剤が供給されるように設置される。
【０００９】
一方、本発明にともなう洗濯装置は洗濯部に進入する洗濯物の大きさを測定するセンサーまたは、ローラをさらに含んで構成されている。
【００１０】
ここで、制御器は洗濯物の大きさにより固定された個数の全体洗濯分割領域と汚染洗濯分割領域の大きさを設定して、移動する汚染洗濯分割領域の位置を勘案して特殊洗剤の供給および中断時点を算出するように構成されている。
【００１１】
また、洗濯部は洗濯ノズルが装着されて、洗濯物の進行方向に一定間隔で配置されて洗濯物の進行方向と交差するように設置された少なくとも一つの設置バーをさらに含んでおり、少なくとも一つの設置バーに設置された洗濯ノズルに特殊洗剤が供給されるように設置される。
【００１２】
また、洗濯部は供給部から移送された洗濯物に洗濯水を噴射する第１洗濯ノズル、第１洗濯ノズルを通過した洗濯物が含浸されるすすぎ水槽、第１洗濯ノズルまたはすすぎ水槽をすぎて移送される洗濯物を感知するように設置された感知センサー、及び、感知された洗濯物に洗濯水を噴射するように設置された第２洗濯ノズルのうち少なくとも一つを具備する第１洗濯部を含んで構成されている。
【００１３】
また、洗濯部は第１洗濯部をすぎて移送される洗濯物に洗濯水を噴射するように設置された第３洗濯ノズルを具備する第２洗濯部をさらに含む。
【００１４】
一方、本発明にともなう洗濯装置は、洗濯物が広げられて載せられれば洗濯部へ移送するように設置された供給コンベヤーを具備する供給部と、洗濯部を通過した洗濯物をすすぐためにすすぎ水を噴射するように設置された少なくとも一つのすすぎノズルを具備したすすぎ部と、洗濯部またはすすぎ部を通過した洗濯物の水を絞るために洗濯物が通過するように上下に設置されたローラを具備した脱水部と、洗濯部またはすすぎ部または、脱水部を通過した洗濯物を排出するように設置された排出部と、洗濯部、すすぎ部、脱水部または、排出部には洗濯物を運ぶように設置された移送コンベヤーと、のうち少なくとも一つをさらに含んで構成されている。
【００１５】
ここで、移送コンベヤーは、供給部から第２洗濯部まで洗濯物を移送するように設置された第１移送コンベヤー、第１洗濯部からすすぎ部まで洗濯物を移送するように設置された第２移送コンベヤー、及び、第２洗濯部から脱水部をすぎて排出部まで移送するように設置された第３移送コンベヤーのうち少なくとも一つを含む。
【００１６】
そして移送コンベヤーは、第１移送コンベヤーと第２移送コンベヤーに備わっており、洗濯物をひっくり返して移すように相互近接設置された第２ローラおよび第１ローラと、第２移送コンベヤーと第３移送コンベヤーに備わって洗濯物をひっくり返して移すように相互近接設置された第４ローラと第３ローラのうち少なくとも１組を具備して構成されている。
【発明の効果】
【００１７】
前述されたように本発明によれば、洗濯物で一部位が特に汚染されている場合、その他部位は一般洗剤が混ざり合った洗濯水を噴射して通常洗濯を実行し、汚染部位は適合した特殊洗剤が混ざり合った洗濯水を噴射して集中洗濯を実行することができる効果がある。
【００１８】
そして洗濯物の大きさにより汚染された部位に対して汚染洗濯分割領域を選定して，この汚染部位にだけ集中的に特殊洗剤が混ざり合った洗濯水を集中的に噴射することによって、ひどく汚染されていない部位はもちろんひどい汚染部位までもきれいに洗濯できる効果がある。
【図面の簡単な説明】
【００１９】
本明細書で添付される次の図面は本発明の望ましい実施例を例示したことであり、発明の詳しい説明と共に本発明の技術思想を理解させる役割をすることであるから、本発明はそういう図面に記載された事項にだけ限定されて解釈されてはいけない。
【００２０】
【図１】本発明の望ましい実施例にともなう通常洗濯と集中洗濯が可能な洗濯装置が概略的に図示された構成図である。
【図２】図１の洗濯区域で洗濯物の汚染位置に対する洗濯分割領域の一実施例が図示された平面図である。
【図３】図２で洗濯ノズルと一般洗剤タンクおよび特殊洗剤タンク間の供給ラインの一実施例が図示されたブロック図である。
【発明を実施するための形態】
【００２１】
以下では添付された図面を参照して本発明が属する技術分野で通常の知識を持った者が本発明を簡単に実施することができるように望ましい実施例を詳細に説明する。ただし、本発明の望ましい実施例に対する動作原理を詳細に説明するということにあって関連した公示機能または、構成に対する具体的な説明が不必要だと判断される場合にはその詳細な説明を省略する。
【００２２】
＜構成＞本発明の望ましい実施例にともなう通常洗濯と集中洗濯が可能な洗濯装置は、複数の区間に分けられたコンベヤーの上に洗濯物をのせて移送して、移送される洗濯物に洗濯水またはすすぎ水などをノズルで強く噴射して洗濯する新しい洗濯方式を提示している。
【００２３】
このように洗濯物をコンベヤーで移送して洗濯するためにコンベヤーを駆動するためのモーターとノズルで洗濯水またはすすぎ水を噴射するように設置されたポンプなどを含んだ動力装置と、この動力装置を制御してノズルの噴射圧力および動作を制御するための制御部とを含むことができる。コンベヤーのベルトは、一般的に平たいベルトであることもあって、洗濯水またはすすぎ水が通過できる網形態または、穴が複数加工されたベルトでもある。
【００２４】
以下ではこれに対する詳しい説明をすることにする。本発明の望ましい実施例にともなう一体型洗濯装置は、図１に図示された通り、供給部（１００）、第１洗濯部（２００）、第２洗濯部（３００），すすぎ部（４００）、脱水部（５００）、排出部（６００）、集水槽及び洗剤タンクを含んで構成されている。
【００２５】
まず、供給部（１００）は、洗濯物を第１洗濯部（２００）まで移送するように設けられた供給コンベヤーを含む。また、供給部（１００）は、第１洗濯部（２００）に進入する平面状洗濯物（Ｌ）の幅と長さを測定するためのローラおよび／または、センサーを追加で設けることができる。
【００２６】
このローラおよび／または、センサーで測定された洗濯物（Ｌ）の幅と長さに基づいて図２のように制御器で全体洗濯分割領域（Ｔ）を設定できるし、この全体洗濯分割領域（Ｔ）で洗濯物の汚染位置を汚染洗濯分割領域（Ｔ）で指定することができる。もちろん、それぞれの洗濯分割領域を担当するように第１洗濯部（２００）および／または、第２洗濯部（３００）の洗濯ノズルが一つ以上配置されることができる。これと関連した補充説明は後述することにする。
【００２７】
次に、第１洗濯部（２００）は、供給部（１００）で供給された洗濯物を一次洗濯および前面洗濯をするように設置される。この第１洗濯部（２００）は、供給部（１００）から進入した洗濯物（Ｌ）を第２洗濯部（３００）に移送するように設置された第１移送コンベヤー、供給部（１００）から進入した洗濯物（Ｌ）に洗濯水を噴射するように設置された第１洗濯ノズル（Ａ−１）、第１洗濯ノズル（Ａ−１）を通過した洗濯物が洗濯水に含浸されるように設置されたすすぎ水槽（２１０）と、すすぎ水槽（２１０）を通過した洗濯物に洗濯水を噴射して洗濯するように設置された第２洗濯ノズル（Ｂ−１、Ｂ−２、Ｂ−３）とを含むことができる。
【００２８】
したがって、第１洗濯部（２００）では、供給部（１００）から進入した洗濯物（Ｌ）が第１洗濯ノズル（Ａ−１）で噴射された洗濯水を通して一次洗濯が行われ、すすぎ水槽（２１０）にゆっくり入れられた後、第２洗濯ノズル（Ｂ−１、Ｂ−２、Ｂ−３）で噴射された洗濯水を通して前面洗濯が行われる。
【００２９】
第１洗濯ノズル（Ａ−１）は、洗濯物（Ｌ）の移送方向すなわち、図１において下方に傾斜するように洗濯水を噴射するように設置されることができる。
【００３０】
第２洗濯ノズル（Ｂ−１、Ｂ−２、Ｂ−３）は、図２のように平面状洗濯物（Ｌ）の幅方向に装着された設置バー（２２０）に複数設置されることができる。ここで、設置バー（２２０）は、図２のように１個だけ設置されることもでき、洗濯物（Ｌ）の進行方向（矢印方向）に複数設置されることができる。また、１個または、複数の設置バー（２２０）に装着された第２洗濯ノズル（Ｂ−１、Ｂ−２、Ｂ−３）は、図３のように一般洗剤タンク（８００）と連結され、種類別特殊洗剤タンク（８１０）とそれぞれ連結されることができる。
【００３１】
また、特殊洗剤タンク（８１０）と連結された一部の第２洗濯ノズル（Ｂ−１、Ｂ−２、Ｂ−３）は、通常洗濯時に一般洗剤を噴射して、洗濯物（Ｌ）の汚染部位が通過中に一般洗剤の噴射が中止された後に特殊洗剤を噴射して、汚染部位が過ぎ去れば再び一般洗剤を噴射するように制御されることができる。
【００３２】
例えば、図２のように１個の設置バー（２２０）に設置された洗濯ノズル（Ｂ−１）に特殊洗剤タンク（８１０）が連結されて、平面状洗濯物（Ｌ）の全体部位において汚染された部位が中央部位である汚染洗濯分割領域５（ｔ５）の場合、洗濯物（Ｌ）が第２洗濯部（３００）に進入すれば洗濯ノズル（Ｂ−１）からは一般洗剤が噴射されて通常洗濯が実行されて、汚染された部位が設置バー（２２０）側に進入すれば汚染された部位である汚染洗濯分割領域５（ｔ５）に該当する洗濯ノズル（Ｂ−１）のうちの一部ノズルからの一般洗剤の噴射が中断された後、特殊洗剤が噴射されて集中洗濯が実行される。
【００３３】
以後、汚染部位が過ぎ去れば、一部ノズルからの特殊洗剤の噴射が中止されて一般洗剤が噴射される。このとき、汚染部位の特性に最もつりあった種類の特殊洗剤が選択されて噴射されるように構成されることができる。このように、洗濯物（Ｌ）で一部位が特に汚染されている場合、洗濯物（Ｌ）が移送される間において汚染されていない部位は一般洗剤での通常洗濯が行われ、汚染された部位は適合した特殊洗剤で集中洗濯が行われる。
【００３４】
このとき、作業者が広げられた状態の洗濯物（Ｌ）における汚染位置を確認して、その汚染位置に応じて全ての洗濯分割領域（Ｔ）の中で一部の汚染洗濯分割領域（Ｔ）を選択して、選択された汚染洗濯分割領域（Ｔ）を制御器に入力して、何によって汚染されたかにともなう特殊洗剤を選択して制御器に入力することができる。これに伴い、汚染部位を特定して、特定汚染部位にだけ特殊洗剤を噴射することによって、通常洗濯および集中洗濯を行うことができる。
【００３５】
このような第２洗濯ノズル（Ｂ−１、Ｂ−２、Ｂ−３）は一例として、少なくとも一つが洗濯物の移送方向で、少なくとも一つが移送側方向または、移送側逆方向に５〜４５°程度傾斜するように洗濯水を噴射するように設置されることができる。このとき、第２洗濯ノズル（Ｂ−１、Ｂ−２、Ｂ−３）は洗濯物（Ｌ）の進入初期には移送側方向に傾斜するように洗濯水を噴射して、進入すれば移送側方向に傾斜するように洗濯水を噴射して、排出されれば移送側逆方向に傾斜するように洗濯水を噴射するように制御されることができる。
【００３６】
次に、第２洗濯部（３００）は、第１洗濯部（２００）を通過した洗濯物（Ｌ）の後面および二セット洗濯するように設置される。この第２洗濯部（３００）は、洗濯物（Ｌ）に洗濯水を噴射するように設置された第３洗濯ノズル（Ｃ−１、Ｃ−２、Ｃ−３）と、第１洗濯部（２００）を通過した洗濯物（Ｌ）をすすぎ部（４００）に移送するように設置された第２移送コンベヤーを含むことができる。
【００３７】
第３洗濯ノズル（Ｃ−１、Ｃ−２、Ｃ−３）は、前述された第２洗濯ノズル（Ｂ−１、Ｂ−２、Ｂ−３）と同一だったり似ているように設置および作動するのでその詳しい説明は省略することにする。すなわち、通常洗濯の途中の洗濯物（Ｌ）の汚染部位が進入すれば第３洗濯ノズル（Ｃ−１、Ｃ−２、Ｃ−３）のうちの該当ノズルからの一般洗剤の噴射の中断および特殊洗剤の噴射が実行されるように設置されることができる。
【００３８】
このような動作は、第２洗濯ノズル（Ｂ−１、Ｂ−２、Ｂ−３）と同一だったり似ている。そして、第３洗濯ノズル（Ｃ−１、Ｃ−２、Ｃ−３）及びすすぎノズル（Ｄ−１、Ｄ−２、Ｄ−３）のうち少なくとも一つのノズルは繊維柔軟制を噴射するように設置されることができる。
【００３９】
第２移送コンベヤーは、第１洗濯部（２００）から排出された洗濯物（Ｌ）をすすぎ部（４００）まで移送するように設置される。もちろん、第２移送コンベヤーによって移送される洗濯物（Ｌ）に第３洗濯ノズル（Ｃ−１、Ｃ−２、Ｃ−３）の洗濯水が噴射されるということは当然である。
【００４０】
このとき、第１移送コンベヤーと第２移送コンベヤーは第１洗濯部（２００）を過ぎた洗濯物（Ｌ）をひっくり返せるように図１のように設置された第１ローラ（Ｒ１）と第２ローラ（Ｒ２）を具備することができる。したがって、第２洗濯部（３００）に進入してひっくり返った洗濯物（Ｌ）の後面に第３洗濯ノズル（Ｃ−１、Ｃ−２、Ｃ−３）の洗濯水が噴射されて洗濯が行われる。
【００４１】
次に、すすぎ部（４００）は、第２洗濯部（３００）を通過した洗濯物をすすぐように設置される。このすすぎ部（４００）は、洗濯物（Ｌ）にすすぎ水を噴射するように設置されたすすぎノズル（Ｄ−１、Ｄ−２、Ｄ−３）、第２洗濯部（３００）を通過した洗濯物（Ｌ）を脱水部（５００）まで移送するように設置された第３移送コンベヤー、移送される洗濯物（Ｌ）が通過することで絞り上げるように設置されたすすぎローラ（４１０）と下部支持台（４２０）を含むことができる。したがって、すすぎ部（４００）に進入した洗濯物（Ｌ）にすすぎノズル（Ｄ−１、Ｄ−２、Ｄ−３）のすすぎ水が噴射されてすすぎを行うことができる。
【００４２】
第３移送コンベヤーは第２洗濯部（３００）から排出された洗濯物（Ｌ）を排出部（６００）まで移送するように設置される。もちろん、第３移送コンベヤーによって移送される洗濯物（Ｌ）にすすぎノズル（Ｄ−１、Ｄ−２、Ｄ−３）のすすぎ水が噴射されるということは当然である。ここで、第２洗濯部（３００）とすすぎ部（４００）は、第２洗濯部（３００）を過ぎた洗濯物（Ｌ）を再びひっくり返して移送することができるように図１のように設置された第３ローラ（Ｒ３）と第４ローラ（Ｒ４）を具備することができる。
【００４３】
すすぎローラ（４１０）と下部支持台（４２０）は、すすぎノズル（Ｄ−１、Ｄ−２、Ｄ−３）を通過した洗濯物を上下で押してすすぎ水を絞るように設置される。このすすぎローラ（４１０）と下部支持台（４２０）は、洗濯物移送方向に対してすすぎノズル（Ｄ−１、Ｄ−２、Ｄ−３）の前方または後方に位置しており、すすぎノズル（Ｄ−１、Ｄ−２、Ｄ−３）ごとに設置されることができる。
【００４４】
次に、脱水部（５００）は、すすぎ部（４００）を通過した洗濯物を脱水するように設置される。この脱水部（５００）は、少なくとも一つの脱水ローラ（Ｆ１、Ｆ２）を含んで構成されている。
【００４５】
脱水ローラ（Ｆ１、Ｆ２）は、図１のように第３移送コンベヤーの最後の部位のローラに近接するように配置されることができる。従って、脱水ローラ（Ｆ１、Ｆ２）と第３移送コンベヤーの一部のローラはこれらの間を通過する洗濯物を強く圧迫して脱水することができる。次に、排出部（６００）は、脱水部（５００）を通過した洗濯物を排出するように設置された排出コンベヤーを含む。
【００４６】
一方、脱水部（５００）と排出部（６００）との間に洗濯物を乾燥させるために熱風機などを含んだ乾燥装置を具備する乾燥部が追加配置されることができる。この乾燥部は排出部（６００）に統合設置されることもできる。
【００４７】
最後に、集水槽は、第１集水槽（７００）、第２集水槽（７１０）及び第３集水槽（７２０）を含んで構成されている。これら集水槽は相互連結されたり脱水部（５００）、すすぎ部（４００）、第２洗濯部（３００）及び第１洗濯部（２００）のうち少なくとも一つと連通するように連結されて設置されることができる。
【００４８】
第１集水槽（７００）は、脱水部（５００）で脱水された水を集水するように設置される。この第１集水槽（７００）は、集水された水をすすぎ部（５００）に供給してすすぎノズル（Ｄ−１、Ｄ−２、Ｄ−３）を通してすすぎ水として使うように設置されることができる。
【００４９】
第２集水槽（７１０）は、すすぎ部（４００）から排出された水を集水するように設置される。この第２集水槽（７１０）は集水された水を第２洗濯部（３００）及び第１洗濯部（２００）のうち少なくとも一つの洗濯水として再使用するように設置されることができる。このために第２集水槽（７１０）は、第２洗濯ノズル（Ｂ−１、Ｂ−２、Ｂ−３）、第１洗濯ノズル（Ａ−１）及びすすぎ水槽（２１０）のうち少なくとも一つのノズルまたは水槽に、集水された水を供給するように設置されることもできる。
【００５０】
第３集水槽（７２０）は、第２洗濯部（３００）から排出された水を集水するように設置される。この第３集水槽（７２０）は集水された水を第１洗濯部（２００）で再使用するように設置されることができる。このために第３集水槽（７２０）は、第１洗濯ノズル（Ａ−１）とすすぎ水槽（２１０）に集水された水を供給するように設置されることができる。
【００５１】
一例として、脱水部（６００）で脱水された水が第１集水槽（７００）に集水された後にすすぎ部（４００）のすすぎノズル（４１０）に供給されて、すすぎ部（４００）から排出された水が第２集水槽（７１０）に集水され後に第２洗濯部（３００）の第３洗濯ノズル（Ｃ−１、Ｃ−２、Ｃ−３）に供給されて、第２洗濯部（３００）から排出された水が第３集水槽（７２０）に集水された後に第１洗濯部（２００）の第１洗濯ノズル（Ａ−１）とすすぎ水槽（２１０）に供給されるように設置されることができる。以後、水を廃水処理することができる。
【００５２】
したがって、従来のように洗濯、すすぎおよび脱水工程で排出された水を廃水処理する場合と比べてみれば、本発明の場合、各工程で排出される水を再使用することによって、水の使用量を約５０％以下に節約することができる。
【００５３】
これに対してもう少し詳しく説明すれば、一例として従来方法において１００ｋｇの洗濯機でベッドシーツ１２０枚を洗濯する場合、洗濯段階で５００リットル、すすぎ段階で５００リットル（２〜３回反復）および脱水段階で５００リットルで段階ごとに使われた水を廃水処理するので合計１．５トンないし２トンの水が使われていた。反面、本発明の装置を利用する場合、洗濯、すすぎおよび脱水工程が進行する間に水をリサイクルして１回だけ廃水処理されるので、水使用量を概略５０％以下に節約することができる。
【００５４】
以上説明した通り、本発明が属する技術分野の通常の技術者は本発明がその技術的思想や必須特徴を変更しなくて他の具体的な形態で実施されることができるということを理解できるはずである。従って前述した実施例はすべて例示的なものであり限定的なものではないこととして理解しなければならない。本発明の範囲は詳しい説明よりは後述する特許請求の範囲によって現わされて、特許請求の範囲の意味および範囲そして等価概念から導き出されるすべての変更または、変形された形態が本発明の範囲に含まれると解釈されなければならない。
【符号の説明】
【００５５】
１００：供給部、２００：第１洗濯部、２１０：すすぎ水槽、２２０：設置バー、３００：第２洗濯部  ４００：すすぎ部、４１０：すすぎローラ    ４２０：下部支持台、５００：脱水部、６００：排出部、７００：第１集水槽      ７１０：第２集水槽、７２０：第３集水槽  ８００：一般洗剤タンク、８１０：特殊洗剤タンク、Ｌ：洗濯物、Ｔ：全体洗濯分割領域、ｔ：汚染洗濯分割領域、ｔ５：汚染洗濯分割領域、Ａ−１：第１洗濯ノズル、Ｂ−１〜Ｂ−３：第２洗濯ノズル、Ｃ−１〜Ｃ−３：第３洗濯ノズル、Ｄ−１〜Ｄ−４：すすぎノズル、Ｆ−１、Ｆ−２：脱水ローラ
【図１】
2020520763.tif 000003
【図２】
2020520763.tif 000004
【図３】
2020520763.tif 000005
【図４】
2020520763.tif 000006
【国際調査報告】
2020520763.tif 000007
2020520763.tif 000008
2020520763.tif 000009
2020520763.tif 000010